(57)【特許請求の範囲】
【請求項１】
固定側アッセンブリと可動側アッセンブリとの組合せ機構によるものであり、前記固定側アッセンブリは、一方の端部に外向きの円形フランジを設けた絶縁体の長い中空円筒の外周面に一定ピッチの螺旋状の溝を形成し、その溝に導線を嵌装させてローディングコイルを構成すると共に、前記中空円筒の逆側の端部に給電線接続用のコネクタを付設した固定用ブロックが取り付けられており、前記ローディングコイルの円形フランジ側の一端を前記中空円筒に固定し、他端を前記中空円筒に穿設した孔から筒内を通じて前記固定用ブロックの接続用コネクタの中心導体に接続した構成からなり、一方、前記可動側アッセンブリは、前記ローディングコイルに対して遊嵌する導体の中空円筒であって、その外周面の周方向には凹溝が形成されており、導体である複数の球体を、前記凹溝の形成範囲における筒軸に関する中心角が均等になる周方向の位置で、且つ各球体が前記ローディングコイルの隣り合う各巻線に接する軸方向の位置に形成した各孔に嵌め入れ、それらの各球体を前記凹溝に取り付けた板バネによって内側へ付勢せしめた軸受部と、前記固定側アッセンブリの円形フランジに外嵌して摺動する導体の中空円筒であって、一端が前記軸受部に外嵌・固定され、他端にアンテナを同軸状に連結せしめたアンテナ連結用筒部と、絶縁体の中空円筒であって、一端が前記軸受部又は前記アンテナ連結用筒部に外嵌・固定される操作用筒部とから構成されていることを特徴とするアンテナチューニング装置。
【請求項２】
可動側アッセンブリの軸受部に４個の球体を用いることとし、それらの球体を嵌め入れる孔が、筒軸に関する中心角が９０°となる周方向の位置で、且つ周方向順序に従ってローディングコイルの巻線の（１／４）ピッチずつ軸方向へずれた位置に形成されており、また、軸方向に関して（１／４）ピッチだけずれて隣り合う孔に嵌め入れられた２対の球体に対して１対毎に１枚の板バネを適用し、前記板バネは、対になった各孔の形成位置間の中央にネジ止めされる固定板部と、その固定板部の両側部に所定角度で連続的に構成され、前記固定板部のネジ止め状態で前記の１対の孔に嵌め込まれた各球体を内側へ押圧する両側板部とからなるものである請求項１に記載のアンテナチューニング装置。
【請求項３】
前記固定側アッセンブリに対する可動側アッセンブリの相対的位置によって定まるアンテナ回路の代表的な共振周波数を、その相対的位置状態における操作用筒部の端部の位置に対応する前記固定側アッセンブリの中空円筒の表面に表記した請求項１又は請求項２に記載のアンテナチューニング装置。
【発明の詳細な説明】
【０００１】
【発明の属する技術分野】
本発明はアンテナの電気長を送受信電波の波長に適合させるためのアンテナチューニング装置に係り、特にローディングコイルのインダクタンスを機械的に調整できるようにした装置に関する。
【０００２】
【従来の技術】
従来から、アンテナ回路の共振周波数を調整するために（アンテナの電気長を送受信電波の波長に適合させるために）、アンテナエレメントに対してローディングコイルを直列接続させることが行われている。
即ち、図５に示すように、アンテナ５１の長さ:ａが（λ／４）［但し、λは送受信電波の波長］よりも短い場合等に、アンテナ５１と無線通信機５２のアンテナ端子との間にローディングコイル９０を挿入する。
【０００３】
その場合、アンテナ回路の共振周波数は、ローディングコイル９０を挿入しない状態では次の数式(１)のＦrとして、また挿入した状態では次の数式(２)のＦr’として与えられる。但し、各数式においてＬoとＣoはアンテナ５１のアンテナ定数であり、Ｌはローディングコイル９０のインダクタンスである。
【数１】
0003738232.tif 000002
【数２】
0003738232.tif 000003
これらの数式から明らかなように、ローディングコイル９０の挿入によってアンテナ回路の共振周波数が低下することになる。
【０００４】
ところで、簡易な固定局の無線通信機やモービル運用又はフィールド運用される無線通信機では伸縮式のホイップアンテナが用いられる場合が多いが、一般的にそれらの無線通信機は多数のバンドをカバーしている。
例えば、アマチュア無線局に許可されているバンドは１.９ＭＨzバンドから２４９ＧＨzバンドであり、市販の無線通信機においても１.９ＭＨzバンドから１２００ＭＨzバンドまでをカバーしたものが多い。
【０００５】
従って、アンテナ回路の共振周波数を選択したバンドに対応させて調整する必要があり、原理的にはホイップアンテナの長さを調整するか、又はローディングコイルのインダクタンスを調整することにより対応できる。
しかし、前者の調整方式では、手作業で正確な長さに調整することが困難であると共に、バンドを切り換える度に逐一伸縮させることが面倒であるため、一般的には後者の調整方式が採用される。
即ち、アンテナを伸長させた際の最大長さをアンテナ回路の共振周波数が最低周波数のバンドに対応するように設定しておき、ローディングコイルのインダクタンスを電気的に制御して調整する方式が採用されている。
【０００６】
具体的には、例えば、アンテナ回路に手動の切り替えスイッチを介してＬＣ回路を接続し、切り替えスイッチを用い受信周波数に応じてアンテナの電気長を変化させる技術（特開平4-334201号）や、制御電圧によってキャパシタンスの変わるコンデンサ及びインダクタンスの変わるコイルをアンテナに接続し、周波数帯域によって制御電圧を変化させることにより、アンテナ回路の共振周波数を変化させる方法（特開平4-213907号）等が提案・開示されている。
【０００７】
【発明が解決しようとする課題】
ところで、前記のアンテナ回路のインダクタンス調整方式は、スイッチ操作やバンドの選択操作によって所定のインダクタンスに設定するものであるが、アンテナ回路の共振周波数はフィーダ（給電線）の長さやアンテナの設置場所等の環境や通信時の電波伝播の状態等によって微妙に異なり、設定されたインダクタンスが最良の送信電力効率や受信感度を与えるものとは限らない。
そして、その問題はアンテナ回路に係るものであるため、無線通信機側で補正して最良の状態にすることはできない。
【０００８】
そこで、本発明は、ローディングコイルのインダクタンスを機械的に変化させて粗調整と微調整を行えるアンテナチューニング装置を提供し、簡単な手動操作でアンテナ回路の共振周波数を選択したバンドへ正確に設定し、常に最良の送信電力効率や受信感度での無線通信を実行できるようにすることを目的として創作された。
【０００９】
【課題を解決するための手段】
本発明は、固定側アッセンブリと可動側アッセンブリとの組合せ機構によるものであり、前記固定側アッセンブリは、一方の端部に外向きの円形フランジを設けた絶縁体の長い中空円筒の外周面に一定ピッチの螺旋状の溝を形成し、その溝に導線を嵌装させてローディングコイルを構成すると共に、前記中空円筒の逆側の端部に給電線接続用のコネクタを付設した固定用ブロックが取り付けられており、前記ローディングコイルの円形フランジ側の一端を前記中空円筒に固定し、他端を前記中空円筒に穿設した孔から筒内を通じて前記固定用ブロックの接続用コネクタの中心導体に接続した構成からなり、一方、前記可動側アッセンブリは、前記ローディングコイルに対して遊嵌する導体の中空円筒であって、その外周面の周方向には凹溝が形成されており、導体である複数の球体を、前記凹溝の形成範囲における筒軸に関する中心角が均等になる周方向の位置で、且つ各球体が前記ローディングコイルの隣り合う各巻線に接する軸方向の位置に形成した各孔に嵌め入れ、それらの各球体を前記凹溝に取り付けた板バネによって内側へ付勢せしめた軸受部と、前記固定側アッセンブリの円形フランジに外嵌して摺動する導体の中空円筒であって、一端が前記軸受部に外嵌・固定され、他端にアンテナを同軸状に連結せしめたアンテナ連結用筒部と、絶縁体の中空円筒であって、一端が前記軸受部又は前記アンテナ連結用筒部に外嵌・固定される操作用筒部とから構成されていることを特徴とするアンテナチューニング装置に係る。
【００１０】
この発明では、可動側アッセンブリの軸受部が固定側アッセンブリのローディングコイルに外嵌した状態で両アッセンブリが組み合わせられる。
そして、軸受部とローディングコイルの間にはネジ対偶とすべり対偶とが複合的に構成されている。
先ず、ローディングコイルは固定側アッセンブリの中空円筒の溝に嵌装させて螺旋状に巻回されており、軸受部の各球体がローディングコイルの谷に嵌った状態で隣り合う各巻線に接している。
従って、雄ネジとなるローディングコイルに対して各球体が部分的な雌ネジとなり、ローディングコイルと軸受部が螺合関係を構成している。
また、各球体は軸受部の孔内において板バネで内側へ付勢されているだけであるため、軸受部に対して軸方向への外力を与えると、ローディングコイルの山で外側へ押圧されて板バネを撓ませながらローディングコイルの山を乗り越える。
即ち、軸受部はローディングコイルの巻回ピッチを単位ステップとして軸方向へ移動できるようになっている。
ところで、アンテナ回路は導体であるアンテナとアンテナ連結用筒部と軸受部とローディングコイルとの直列回路で構成されており、ローディングコイルの一端が固定用ブロックのコネクタに接続されているが、ローディングコイルのインダクタンスはその巻線に対する軸受部の球体の接触位置によって定まる。
従って、操作用筒部をもって可動側アッセンブリを軸方向へ移動させるとすべり対偶によってローディングコイルのインダクタンスを粗調整でき、その移動位置で各球体とローディングコイルの軸方向に係る係合関係によって静止させることができる。
また、粗調整後の位置で可動側アッセンブリの操作用筒部を回動させると、前記のネジ対偶に基づいて可動側アッセンブリを軸方向へ微小移動させることができ、ローディングコイルのインダクタンスを微調整できる。
そして、操作用筒部は絶縁体であるために、手動操作の際に感電することがなく、調整過程でのインダクタンスに影響を及ぼさない。
尚、固定側アッセンブリの円形フランジとアンテナ連結用筒部との間では回り対偶とすべり対偶が構成されるため、前記の移動・回動の際に、固定側アッセンブリに対する可動側アッセンブリの軸心の傾きを防止できると共に、案内機能も得られる。
【００１１】
この発明において、可動側アッセンブリの軸受部に用いる球体の個数は複数であり、各球体はその個数に応じて所定の位置条件で形成された孔に嵌め入れられるが、４個の球体を用いる場合には、各孔の形成位置を、筒軸に関する中心角が９０°となる周方向の位置で、且つ周方向順序に従ってローディングコイルの巻線の（１／４）ピッチずつ軸方向へずれた位置に設定しておき、軸方向に関して（１／４）ピッチだけずれて隣り合う孔に嵌め入れられた２対の球体に対して１対毎に１枚の板バネを適用することが望ましい。
そして、その場合に適用する板バネは、対になった各孔の形成位置間の中央にネジ止めされる固定板部と、その固定板部の両側部に所定角度で連続的に構成され、固定板部のネジ止め状態で前記の１対の孔に嵌め込まれた各球体を内側へ押圧する両側板部とからなるものとする。
その構成によれば、最小の部品点数で軸ブレを防止したネジ対偶を実現できると共に、軸受部の鋼球に対する付勢機構をコンパクトに構成できる。
【００１２】
ところで、この発明では、アンテナ回路の共振周波数の粗調整を可動側アッセンブリを軸方向へ移動させて行うが、一般的に、その粗調整は無線通信機側で選択した使用バンドに大体対応させればよく、比較的大まかな操作で足りる。
しかしながら、何等の目安もない場合には、無線通信機の受信感度等を逐一確認しながら調整する必要がある。
一方、固定側アッセンブリに対する可動側アッセンブリの相対的位置を実験的に変化させながら受信感度等を計測することにより、予めアンテナ回路の共振周波数を求めておくことが可能である。
従って、実験的に代表的な共振周波数が得られた際の固定側アッセンブリと可動側アッセンブリの相対的位置状態において、その共振周波数を操作用筒部の端部の位置に対応する固定側アッセンブリの中空円筒の表面に表記しておけば、粗調整操作が極めて容易になる。
【００１３】
【発明の実施の形態】
以下、本発明の実施形態を、図１から図４を用いて詳細に説明する。
先ず、図１（Ａ）はアンテナチューニング装置の軸断面図である。
同図において、１０は一端に外向きの円形フランジ部１１を設けた中空円筒、２０は中空円筒１０に巻回されたローディングコイル、３０は中空円筒１０の他端が嵌着されている固定用ブロック、４０は固定用ブロック３０に取り付けられたコネクタであり、それらによって固定側アッセンブリ１が構成されている。
【００１４】
ここに、中空円筒１０は、高周波特性に優れて機械的強度が大きい絶縁体（例えば、繊維強化プラスチックやベークライト等）からなり、ローディングコイル２０の巻回区間に相当する外周面には一定のピッチ:ｐで螺旋状の溝が形成されており、導線をその溝に沿って嵌装してゆくことによってローディングコイル２０を構成するようになっている。
ローディングコイル２０の上側端は中空円筒１０に穿設した孔１２に挿入させて固定されているが、下側端は中空円筒１０に穿設した孔１３を貫通して筒内へ入り、筒内を通じて固定用ブロック３０へ導かれている。
固定用ブロック３０はアルミニウム等の導体からなり、その内部が中空に形成されているが、側面に取り付けたコネクタ４０の中心導体が中空部に突出しており、その中心導体にローディングコイル２０から導かれた導線が接続されている。
【００１５】
一方、図１（Ａ）において、５０はホイップアンテナ、６０はアンテナ連結用筒部、７０は軸受部、８０は操作用筒部であり、それらの部品が同軸状に連結されて可動側アッセンブリ２が構成されている。
ここで、ホイップアンテナ５０は当然に導体であり、アンテナ連結用筒部６０と軸受部７０もアルミニウム等の導体からなるが、操作用筒部８０はエポキシ樹脂等の絶縁体からなるものである。
【００１６】
ホイップアンテナ５０とアンテナ連結用筒部６０の連結機構は、ステンレス等からなる導体の封止ボス６１をアンテナ連結用筒部６０の上側開口端に内嵌させて外周面側からネジ（図示せず）で固定し、その封止ボス６１の中央部に形成された雌ネジ孔にホイップアンテナ５０の下端に突出した雄ネジを締着することによって構成されている。
軸受部７０に対するアンテナ連結用筒部６０と操作用筒部８０の連結機構は、軸受部７０の上側区間がアンテナ連結用筒部６０の肉厚相当分だけ小径に形成されており、その上側区間にアンテナ連結用筒部６０の下端部を外嵌せしめ、更に軸受部７０とアンテナ連結用筒部６０の外周面に対して操作用筒部８０の上側端部を外嵌させて固定したものである。（それらの嵌合関係は、むしろ図１（Ｃ）及び（Ｄ）から具体的に理解できるため、それら断面図を参照すべきである。）
尚、図示していないが、固定手段については、操作用筒部８０とアンテナ連結用筒部６０の前記嵌合区間に穿設された孔と、軸受部７０に形成された雌ネジ孔とを対応させておき、外部からネジ止めするようになっている。
【００１７】
図１（Ａ）に示すように、可動側アッセンブリ２はその軸受部７０が固定側アッセンブリ１におけるローディングコイル２０の巻回区間に外嵌するようになっているが、その軸受部７０とローディングコイル２０との間に複合的に構成されるネジ対偶とすべり対偶の関係がこの実施形態の主要な点であり、以下、その機構について具体的に説明する。
【００１８】
先ず、固定側アッセンブリ１に可動側アッセンブリ２が組み合わされた図１（Ａ）の状態で、可動側アッセンブリ２の軸受部７０が位置する部分に関する横断面図（Ｘ−Ｘ矢視断面）をとると、図１（Ｂ）に示されるような構成となる。
また、図１（Ｂ）におけるＹ1−Ｙ1矢視断面図は図１（Ｃ）に、Ｙ2−Ｙ2矢視断面図は図１（Ｄ）に示されるような構成となる。
【００１９】
図１（Ｂ）及び図（Ｃ）から明らかなように、軸受部７０の上側区間は小径に形成されたスリーブになっており、その外周にアンテナ連結用筒部６０の下端部が外嵌している。
また、軸受部７０の下側区間には周方向に凹溝７１が形成されており、その凹溝７１の底部に相当する環状壁部７２には、所定の位置条件で４個の孔７３が形成されている。
即ち、４個の孔７３は次の２条件を満たす位置に形成されている。
▲１▼ 軸受部７０の筒軸に関する中心角が９０°となる周方向の位置であること。
▲２▼ 周方向順序に従ってローディングコイル２０の巻回ピッチ:ｐの１／４ずつ軸方向へずれた位置であること。
【００２０】
そして、それらの孔７３にはそれぞれ鋼球７４が嵌め入れられているが、鋼球７４の直径は、ローディングコイル２０の巻回ピッチ:ｐよりも大きく、また環状壁部７２の肉厚よりも大きくなっており、図１（Ｄ）に示すように、ローディングコイル２０に押し付けられた状態で、隣り合う導線に接するようになっている。
従って、各孔７３の直径は鋼球７４の前記直径よりも僅かに大きく設定されており、鋼球７４が孔７３の中を移動できるようになっている。
【００２１】
前記の４個の鋼球７４は、その内の２個ずつが環状壁部７２にネジ７５で取り付けられた板バネ７６で内側に付勢された状態で、ローディングコイル２０側に押し付けられている。
即ち、１対の鋼球７４に対して１枚の板バネ７６が対応しており、各板バネ７６はネジ止めされる固定板部７７とその両側部に所定角度（自然状態で１３５°）で連続的に構成された側板部７８とからなり、固定板部７７がネジ止めされた状態で僅かに撓んで１対の鋼球７６を内側に付勢する。
尚、鋼球７４は当然に導体であり、板バネ７６にはりん青銅板等の導体材料が適用される。
【００２２】
そして、軸受部７０の凹溝７１に構成される機構は、その凹溝７１を平面的に展開した模式図である図２を参照すると理解し易い。
同図に示すように、４個の孔７３は上記の▲１▼及び▲２▼の条件で配設されており、各対の孔７３の中央にネジ７５が螺合する雌ネジ孔７９が形成されており、各対の孔７３に嵌め入れられた鋼球７４を内側へ押圧するための板バネ７６が雌ネジ孔７９の位置で固定されている。
尚、この実施形態では各板バネ７６の幅が凹溝７１の幅よりもかなり小さくなっているが、各板バネ７６の幅を凹溝７１に僅かなクリアランスで嵌る程度に設定してもよく、その場合には各板バネ７６がネジ７５を中心に回転してしまうことが防止できる。
【００２３】
以上のように構成されたアンテナチューニング装置は、固定側アッセンブリ１の固定用ブロック３０を適当な箇所に固定して、そのコネクタ４０に無線通信機側のアンテナ接続用コネクタと同軸ケーブルで接続して使用される。
そして、無線通信機において使用バンドが選択されると、アンテナチューニング装置をそのバンドに対応した共振周波数に調節する。
【００２４】
その場合、先ず、可動側アッセンブリ２の操作用筒部８０を握って軸方向へ移動させることにより、ほぼ前記の共振周波数へ粗調整する。
即ち、軸受部７０の各鋼球７４はそれぞれ板バネ７６でローディングコイル２０に弾力的に押し付けられているだけであるため、可動側アッセンブリ２に対して軸方向への力が作用すると、板バネ７６が撓んで各鋼球７４が側方の巻線を次々と乗り越えることになり、可動側アッセンブリ２は比較的小さい操作力で軸方向へ移動する。
また、その移動の際には、固定側アッセンブリ１側の中空円筒１０に付設されている円形フランジ部１１が可動側アッセンブリ２側のアンテナ連結用筒部６０内を摺動し、案内機能を果たすと共に可動側アッセンブリ２の軸が傾斜することを防止する役割を果たす。
【００２５】
そして、可動側アッセンブリ２に対する操作を止めると、可動側アッセンブリ２はその状態で固定側アッセンブリ１にロックされる。
何故なら、軸受部７０において各鋼球７４が嵌っている孔７３の形成位置条件が上記の▲１▼及び▲２▼に基づいているため、４個の鋼球７４がそれぞれローディングコイル２０の隣り合う巻線の谷に位置した状態で内側へ押圧されており、可動側アッセンブリ２は軸方向に関して固定側アッセンブリ１に４箇所で係合しているからである。
【００２６】
ところで、このアンテナチューニング装置におけるアンテナ回路は、図３に示すような等価回路となる。
即ち、アンテナ回路は、ホイップアンテナ５０と、封止ボス６１を介してホイップアンテナ５０に接続されているアンテナ連結用筒部６０と、軸受部７０と、板バネ７６と鋼球７４を介して軸受部７０に接続されているローディングコイル２０の鋼球７４の接触箇所より下側のインダクタンスＬvとで構成されることになる。換言すれば、ローディングコイル２０における鋼球７４との接触箇所より下側部分のみが有効なインダクタンスＬvとして機能することになる。
そして、前記のインダクタンスＬvは上記の数式(２)におけるローディングコイルのインダクタンスＬを与えるものであり、可動側アッセンブリ２を軸方向へ移動させるとアンテナ回路の共振周波数Ｆr’を調整できることになる。
【００２７】
しかし、原理的にはそのようになっていても、操作者にとっては、何等の目安がない場合には、どの位置に可動側アッセンブリ２を移動させた状態でアンテナ回路の共振周波数Ｆr’が無線通信機の使用バンドに適応するかが不明であり、無線通信機の受信感度等を逐一参照しながら可動側アッセンブリ２を操作しなければならないことになる。
そこで、この実施形態では、図４に示すように、固定側アッセンブリ１に対する可動側アッセンブリ２の相対的位置関係に基づいたアンテナ回路の共振周波数Ｆr’を操作用筒部８０の下端８１の位置で示すこととし、各使用バンドの中心周波数をその位置に対応する固定側アッセンブリ１の中空円筒１０の表面に表記させるようにしている。
そして、この各バンドに係る共振周波数の表記位置は、予めこのアンテナチューニング装置を用いた無線通信機で各バンドの中心周波数に設定した試験的通信を実行し、その際に最良の受信感度が得られた際の位置とすればよい。
また、１つのアンテナチューニング装置で得られた結果が、そのまま同一仕様の装置にも適用できることは当然である。
【００２８】
従って、無線通信機の使用バンドを設定した時に、操作者は操作用筒部８０の下端が中空円筒１０の対応した周波数の表記位置になるように可動側アッセンブリ２を移動させるだけでよく、極めて容易で且つ迅速に粗調整ができる。
尚、その各中心周波数の表記位置はホイップアンテナ５０の長さによって変化するが、一般的にはホイップアンテナ５０を最長に伸長した状態やほぼ半分の長さに設定した状態を基準にすればよい。
また、表記方法としては、中空円筒１０に対して周波数を刻印して塗料を充填する方法や周波数を印刷したシールを貼着する等の方法が採用できる。
【００２９】
ところで、前記の操作は無線通信機側の使用バンドに対応させるための大まかな調整を行っているに過ぎない。
何故なら、中空円筒１０に対する共振周波数の表記はあくまで使用バンドの中心周波数に過ぎず、また軸受部７０とローディングコイル２０の対偶条件に基づいて可動側アッセンブリ２の移動がピッチ:ｐの移動ステップでしか行えず、更には軸方向への手動操作であるために誤差が生じてしまうことが多いからである。
【００３０】
この実施形態のもう１つの特徴は、前記の粗調整の後に、可動側アッセンブリ２を回動させることにより微調整が実行できる点にある。
上記のように、軸受部７０に形成されている４個の孔７３がローディングコイル２０に対応させた位置条件（上記の▲１▼,▲２▼の条件）で配設されており、各孔７３に嵌め入れられた鋼球７４とローディングコイル２０との間にネジ対偶関係が成立していることに基づいて、可動側アッセンブリ２を回動させると、その回動角度に応じて可動側アッセンブリ２を微小距離ずつ連続的に移動させることができる。
更に具体的には、前記の粗調整における固定側アッセンブリ１に対する可動側アッセンブリ２の最小移動ステップはローディングコイル２０の巻回ピッチ:ｐであったが、この微調整では１回転当りの移動量が前記ピッチ:ｐに相当しており、１°の回転角度で（ｐ／３６０）の微小移動が連続的に実現できる。
【００３１】
従って、ローディングコイル２０における有効に機能するインダクタンスＬvを連続的に微小変化させて、アンテナ回路の共振周波数Ｆr’を微調整できることになる。
それにより、アンテナ回路の共振周波数Ｆr’を無線通信機側で選択したバンド内の利用周波数に正確に対応させることができ、常に最適な送信電力効率と受信感度に設定した状態で通信を実行することができる。
また、この場合の微調整は、予め粗調整を行った後の状態での操作用筒部８０に対する回動操作であるため、無線通信機の受信音声を聴取しながら簡単に行うことができる。
【００３２】
【発明の効果】
本発明のアンテナチューニング装置は、以上の構成を有していることにより、次のような効果を奏する。
請求項１の発明は、アンテナを取り付けた可動側アッセンブリと固定側アッセンブリのローディングコイルとの接続部分を、ローディングコイルの巻線を利用したすべり対偶とネジ対偶の複合機構（軸受部）で構成し、簡単な操作でアンテナ回路の共振周波数を正確に調整することを可能にする。
請求項２の発明は、請求項１の発明における軸受部を少ない部品点数で合理的に実現する。
請求項３の発明は、アンテナ回路の代表的共振周波数を固定側アッセンブリの中空円筒の表面に表記しておき、それを目安にして可動側アッセンブリを移動させることにより前記の共振周波数へ粗調整する際の操作を容易にする。
【図面の簡単な説明】
【図１】本発明の実施形態に係るアンテナチューニング装置の軸断面図（Ａ）と、軸受部の横断面図（Ｂ）と、横断面図（Ｂ）におけるＹ1-Ｙ1矢視断面図（Ｃ）と、横断面図（Ｂ）におけるＹ2-Ｙ2矢視断面図（Ｄ）である。
【図２】軸受部の凹溝部分を平面的に展開した模式図である。
【図３】実施形態に係るアンテナチューニング回路の等価回路図である。
【図４】アンテナ回路の代表的共振周波数が表記された固定側アッセンブリの中空円筒の部分を示す正面図である。
【図５】アンテナと無線通信機との間にローディングコイルを挿入した場合の電気回路図である。
【符号の説明】
１…固定側アッセンブリ、２…可動側アッセンブリ、１０…中空円筒、１１…円形フランジ部、１２,１３…孔、２０…ローディングコイル、３０…固定用ブロック、４０…コネクタ、５０…ホイップアンテナ、６０…アンテナ連結用筒部、６１…封止ボス、７０…軸受部、７１…凹溝、７２…環状壁部、７３…孔、７４…鋼球、７５…ネジ、７６…板バネ、７７…固定板部、７８…側板部、７９…雌ネジ孔、８０…操作用筒部、８１…操作用筒部の下端、９０…ローディングコイル、ａ…アンテナの長さ、Ｌ,Ｌv…インダクタンス、ｐ…ローディングコイルの巻回ピッチ、λ…送受信電波の波長。
【図１】
0003738232.tif 000004
【図２】
0003738232.tif 000005
【図３】
0003738232.tif 000006
【図４】
0003738232.tif 000007
【図５】
0003738232.tif 000008